(57)【特許請求の範囲】
【請求項１】
枚葉紙処理機械のための、処理方向に枚葉紙を搬送する装置であって、
処理方向に見て前側のくわえしろで枚葉紙を把持するための、運転によって第１の方向に回転する第１のくわえづめと、
前記第１のくわえづめによって把持された枚葉紙を支持するための支持面がその円周に構成されている、前記第１のくわえづめを支持する胴と、
前記第１の方向と反対の第２の方向に回転し、各々の枚葉紙の前側のくわえしろを前記第１のくわえづめから引き取る第２のくわえづめと、
回転軸を中心として回転する少なくとも１組の枚葉紙支持部と、
吸引くわえづめと、
前記第１のくわえづめから各々の枚葉紙の前側のくわえしろを引き取るために設けられた前記第２のくわえづめと、前記吸引くわえづめから各々の枚葉紙の後側のくわえしろを引き取る後端くわえづめとを含む、運転によって循環するエンドレスコンベヤと、
を備えており、
前記枚葉紙支持部は前記回転軸と同心の転動面を有しており、前記回転軸に沿った前記転動面の長さは枚葉紙のその都度の印刷されていない側縁の幅よりも短く、前記枚葉紙支持部は枚葉紙をそれぞれの側縁の範囲内で前記支持面に押圧し、
前記枚葉紙支持部と前記吸引くわえづめとは、前記回転軸を中心として前記第２の方向に一緒に回転し、
前記吸引くわえづめは、前記枚葉紙支持部によって前記胴の前記支持面に当てつけられた枚葉紙の後側のくわえしろを前記胴から引き取るように適合されており、
前記枚葉紙支持部は、枚葉紙を前記支持面に当てつけている間、枚葉紙の前側のくわえしろから後側のくわえしろまで、枚葉紙と連続してローリング接触する、
枚葉紙を搬送する装置。
【請求項２】
前記後端くわえづめが、前記支持面と前記転動面との間の出口側のくさび型ニップで後側のくわえしろを把持する、請求項１記載の枚葉紙を搬送する装置。
【請求項３】
前記枚葉紙支持部は、調整可能な相互間隔を有する、請求項１記載の枚葉紙を搬送する装置。
【請求項４】
前記転動面は、調整可能な円周方向の長さを有する、請求項１記載の枚葉紙を搬送する装置。
【請求項５】
前記吸引くわえづめは、調整可能な位相位置を有する、請求項１記載の枚葉紙を搬送する装置。
【発明の詳細な説明】
【０００１】
【発明の属する技術分野】
本発明は、枚葉紙処理機械、特に輪転印刷機のための、処理方向に枚葉紙を搬送する装置に関する。
【０００２】
【従来の技術】
冒頭に述べた種類の装置は、日本国特許出願公開公報昭５５−１８１９４Ｙ２号から公知であり、同明細書では印刷された枚葉紙を印刷ユニットから排紙装置に引き渡すために利用されており、この排紙装置は、回転するくわえづめブリッジに配置されたくわえづめを備える無限コンベヤを含んでおり、これらのくわえづめによって枚葉紙の前側のくわえしろを把持可能であり、枚葉紙は圧胴を離れた後、枚葉紙を後側エッジを放置したままさらに搬送可能である。しかしこの装置では、圧胴の転動面と支持面の共通の法線の領域を枚葉紙の後側エッジが通過するまで、印刷のない側縁で枚葉紙を強制案内することしか達成されない。
【０００３】
【発明が解決しようとする課題】
パイルステーションに至るまでの以後の経路でも枚葉紙を裏移りなく案内するため、特に、枚葉紙案内面を設けてこの枚葉紙案内面とその上を運び去られていく枚葉紙との間に流動状態をつくり出し、この流動状態が枚葉紙案内面の上で枚葉紙をある程度の浮遊高さに保つことが公知である。
【０００４】
上記の代替案として、枚葉紙が印刷ユニットから離れた後のパイルステーションまでの経路で、互いに位相ずれしながら回転する前端くわえづめと後端くわえづめによって枚葉紙を案内することもすでに提案されている（ドイツ特許出願公開明細書４２１８４２１Ａ１号参照）。しかしそれを実現するためには、枚葉紙の後側のくわえしろを後端くわえづめで確実に把持することが必要である。しかしその解決法は、ドイツ特許出願公開明細書４２１８４２１Ａ１号から容易に想到可能ではない。
【０００５】
ドイツ特許明細書６２７８５１号からは、後端くわえづめによる後側のくわえしろの把持を実現するための提案を読み取ることができる。この提案によれば、枚葉紙は前端くわえづめによって圧胴から引き取られ、前端くわえづめを含む第１のチェーン駆動装置によって、この第１のチェーン駆動装置の、枚葉紙を運ぶ下側に位置する車間部の下でこの車間部に沿って延びるガイドレールの上を運ばれる。この車間部の下には第２のチェーン駆動装置が配置されており、その上側の車間部は第１のチェーン駆動装置の下側に位置する車間部と同じ方向に運動する。第２のチェーン駆動装置は、ガイドレール上で支持された枚葉紙の後側のくわえしろが、第２のチェーン駆動装置の上側車間部が当該車間部の進行方向に対して上流側に位置する方向転換ホイールを離れる場所に達したときに後側のくわえしろを把持するべき後端くわえづめを支持している。このとき枚葉紙の後側のくわえしろは、ガイドレールによって所定のレベル以下に沈み込むことは防止されるものの、前記くわえしろがガイドレールに乗り上げた後にはためき運動をしないことは保証されていない。この点を度外視するとしてもこの思想は表面印刷にしか適しておらず、しかも、枚葉紙がガイドレールの上でこすられることによって枚葉紙の印刷されていない面にマーキングが発生する場合があるのを甘受できる場合に限られており、このような事態は、特に以後の過程で枚葉紙の裏面を続けて印刷する場合にはあり得ないことでなければならない。
【０００６】
本発明の目的は、定置の案内装置を使用しなくても印刷された枚葉紙を裏移りなく案内可能であるように、冒頭に述べた装置を構成することである。
【０００７】
【課題を解決するための手段】
この目的を達成するために冒頭に述べた装置は、
処理方向に見て前側のくわえしろで枚葉紙を把持するための、運転によって第１の方向に回転する第１のくわえづめと、
前記第１のくわえづめによって把持された枚葉紙を支持するための支持面がその円周に構成されている、前記第１のくわえづめを支持する胴と、
前記第１の方向と反対の第２の方向に回転し、各々の枚葉紙の前側のくわえしろを前記第１のくわえづめから引き取る第２のくわえづめと、
回転軸を中心として回転する少なくとも１組の枚葉紙支持部と、
吸引くわえづめと、
前記第１のくわえづめから各々の枚葉紙の前側のくわえしろを引き取るために設けられた前記第２のくわえづめと、前記吸引くわえづめから各々の枚葉紙の後側のくわえしろを引き取る後端くわえづめとを含む、運転によって循環するエンドレスコンベヤと、
を備えており、
前記枚葉紙支持部は前記回転軸と同心の転動面を有しており、前記回転軸に沿った前記転動面の長さは枚葉紙のその都度の印刷されていない側縁の幅よりも短く、前記枚葉紙支持部は枚葉紙をそれぞれの側縁の範囲内で前記支持面に押圧し、
前記枚葉紙支持部と前記吸引くわえづめとは、前記回転軸を中心として前記第２の方向に一緒に回転し、
前記吸引くわえづめは、前記枚葉紙支持部によって前記胴の前記支持面に当てつけられた枚葉紙の後側のくわえしろを前記胴から引き取るように適合されており、
前記枚葉紙支持部は、枚葉紙を前記支持面に当てつけている間、枚葉紙の前側のくわえしろから後側のくわえしろまで、枚葉紙と連続してローリング接触する。
【０００８】
このように構成された装置により、第２のくわえづめで把持された枚葉紙はまず第１のくわえづめを支持する圧胴の支持面から引き剥がされ、このとき枚葉紙のその都度の引き剥がされた区域は、第２のくわえづめから、支持面と転動面の共通の法線まで延びている。このとき第２のくわえづめは、上述した共通の法線を通過するたびに円弧軌道を描く。したがって、支持面から引き剥がされた枚葉紙のその都度の区域の、印刷のないゾーンである側方の縁部は、枚葉紙支持部の転動面に巻き付けられる。それによって第１のくわえづめから枚葉紙に及ぼされる曲げ力は、これと反対方向の枚葉紙の反発力を引き起こし、この反発力が、枚葉紙のまだ巻き付けられていない区域を胴の支持面に向かう方向へと付勢する。本発明はこのような効果を利用するものであり、この効果は、前記反発力が枚葉紙の後側のくわえしろも支持面に圧着させることにつながるので、後側のくわえしろは上述した共通の法線を通過するときに直線状に支持面に当接し、したがってくわえづめ手段の側から所定の把持を行うためのアクセスが可能であり、このくわえづめ手段は、圧胴の支持面が一続きの表面を形成するように吸引くわえづめとして構成される。吸引くわえづめによって後側のくわえしろの引取が行われると、枚葉紙はそのすべての縁部に関して安定していることになる。したがって枚葉紙は特にその後側のくわえしろにおいて、機械的に開閉するくわえづめによる確実な把持のためにアクセス可能なので、以後の枚葉紙のどのような搬送も、その前側および後側のくわえしろを強制案内しながら可能である。エンドレスコンベヤは、先ほど説明したようなやり方で枚葉紙をパイルステーションに向かう方向へ搬送するのに利用可能であり、そのために第１のくわえづめを支持する胴の直後に配置されており、この胴は枚葉紙を全面的に支持する支持面を有しており、このことは特に圧胴の場合に当てはまる。
【００１８】
さらに別の有利な実施態様では、それぞれの枚葉紙支持部の相互間隔が調整可能であり、それによって、処理方向に関して幅が異なっている枚葉紙を処理可能であることが意図される。
【００１９】
さらに別の有利な実施態様は、転動面の長さがその円周方向で調整可能であることを意図している。さらに有利には、吸引くわえづめの位相位置と吸引部の位相位置が調整可能であることが意図される。
【００２０】
これらの方策は、処理方向に関して長さが異なっている枚葉紙の処理を可能にする。
【００２１】
【発明の実施の形態】
次に、本発明の実施の形態について図面を参照して説明する。
【００２２】
図１に概略的に描かれている枚葉紙を処理する輪転印刷機は、たとえば印刷ユニット１．１および１．２の形態の２つの処理ステーションを備えた機械区域１を含んでおり、それによって２種類の色を印刷することができる。さらに別の色についてはそれぞれ別の印刷ユニットを設けることになる。たとえばニス塗布、中間乾燥、穿孔などのその他のプロセス段階については、それぞれさらに別の処理ステーションを設けることになる。一例として示す本例では、印刷ユニット１．１および１．２が湿式オフセット法に基づいて作動し、それに応じてそれぞれがインキ装置１．３と、湿し水装置１．４と、これと連結された版胴１．５と、運転によって版胴と接触して転動するブランケット胴１．６と、その都度の枚葉紙を案内する圧胴１．７とを含んでいる。
【００２３】
印刷ユニット１．１および１．２に枚葉紙を供給するために給紙装置２が設けられており、この給紙装置は紙さばき装置２．１によってその都度一番上にある枚葉紙２．２をパイル２．３から取り出して搬送・紙揃え装置２．４に引き渡し、搬送・紙揃え装置はうろこ状にさばかれた枚葉紙のその都度処理方向で先頭にある枚葉紙を、特に吸引ベルト台によって前端ストッパの方向へ搬送が行われた後に、前端ストッパと少なくとも１つの側方ストッパとで揃える。
【００２４】
ここでは印刷ユニット１．１である第１の処理ステーションに付属する揺動する先行くわえづめ１．８は、それぞれ揃えられた枚葉紙２．２を引き取ってこれを給紙ドラム１．９に引き渡し、給紙ドラムはさらにこれを印刷ユニット１．１の圧胴１．７に引き渡す。この印刷ユニット１．１の押圧間隙を通過した後、その圧胴１．７は枚葉紙２．２を、両方の印刷ユニット１．１および１．２のそれぞれの第２の圧胴１．７の間に介在する、別の個所で詳しく説明する枚葉紙案内ドラム１．１０の形態の渡し装置に引き渡す。印刷ユニット１．２の圧胴１．７は枚葉紙を枚葉紙案内ドラム１．１０から引き取り、これをさらに別の押圧間隙を通して案内し、次いで、その都度の枚葉紙２．２をパイルステーション３．１に搬送してそこで印刷物パイルをつくるために解放する、運転によって循環するエンドレスコンベヤを含む、別の個所で詳しく説明する渡し装置に枚葉紙を引き渡す。
【００２５】
本刷りでは、給紙装置２のパイル２．３においては製造レベルすなわちその都度一番上にある枚葉紙２．２の上下位置が、およびパイルステーション３．１においては解放された枚葉紙２．２の落下高度が、それぞれパイル２．３ないし印刷物パイル３．２を支持するプラットフォーム２．５ないし３．３をそれぞれの昇降機構で相応に追随させることによって維持され、この昇降機構のうちプラットフォーム２．５および３．３を支持する昇降チェーン２．６および３．４だけが図に示唆されている。
【００２６】
図２に一例として描かれている印刷ユニット胴と渡し装置の配置は、図１に示す状態と実質的に一致しており、機械区域１’の連続する２つの印刷ユニット１．１’および１．２’を表しており、このとき渡し装置の一方は枚葉紙２．２をそれぞれの圧胴１．７の一方から他方へと搬送する。この渡し装置は、運転によって方向矢印１．１１で示す第１の方向に回転し、機械区域１’に供給された枚葉紙２．２を処理方向で見て前側のくわえしろ２．２’’で保持する第１のくわえづめ１．１２と、この第１のくわえづめ１．１２を支持し、第１のくわえづめで把持された枚葉紙２．２のための支持面１．１３が円周に構成されている胴、ここでは圧胴１．７を含んでいる。さらに渡し装置は、運転によって第１の方向とは反対の方向矢印１．１１’で示す第２の方向に回転する第２のくわえづめ１．１４を含んでいる。この第２のくわえづめは噛み合いながら第１のくわえづめ１．１２を通過して、第１のくわえづめから枚葉紙２．２の前側のくわえしろ２．２’’を引き取る。当然ながら、第２のくわえづめ１．１４は簡略化されて描かれたこの図面とは異なり、くわえづめフィンガおよびこれと同様に回転するくわえづめフィンガパッドレールで構成されている。
【００２７】
さらに渡し装置は、方向矢印１．１１’で示す第２の方向に回転軸１．１５を中心として回転する少なくとも１組の枚葉紙支持部１．１６を含んでおり（図２に示す半速で回転する第２のくわえづめ１．１４を備えた本実施形態では２組）、これらの支持面はそれぞれ回転軸１．１５と同心的な転動面１．１７を有しており、回転軸１．１５に沿った転動面の長さは、枚葉紙２．２のその都度の印刷されていない側縁の幅よりも短くなっている。各々の転動面１．１７は第２のくわえづめ１．１４の後を追うように走行し、このくわえづめに続いている。
【００２８】
転動面１．１７の円周方向の長さは、輪転印刷機で最大限処理可能な枚葉紙の処理方向の長さと実質的に一致している。さらに枚葉紙支持部１．１６は、その転動面がその都度の枚葉紙２．２をその印刷されていない側縁２．２’の範囲内で、転動面１．１７と支持面１．１３の共通の法線の領域でこれに圧着するように寸法決めされて配置されており、それに対して前側のくわえしろ２．２’’を挟んで保持する第２のくわえづめ１．１４は、当該くわえづめによって第１のくわえづめ１．１２から引き取られた枚葉紙２．２を支持面１．１３から引き剥がして転動面１．１７に巻き付ける。
【００２９】
さらに最後として渡し装置は、運転によって方向矢印１．１１’に示す第２の方向に回転する吸引くわえづめ１．１８を含んでおり、この吸引くわえづめは枚葉紙支持部１．１６によって圧胴１．７の支持面１．１３に当接している枚葉紙２．２の後側のくわえしろ２．２’’’を圧胴１．７から引き取る。そのために吸引くわえづめ１．１８は、枚葉紙支持部１．１６の転動面１．１７の回りを包囲可能な包絡面に開口する吸引口を有しており、この吸引口は、運転によって回転する際に当該吸引口が後側のくわえしろ２．２’’’と向かい合う時点で圧胴１．７を通過するような位相位置で、第２のくわえづめ１．１４を追走している。
【００３０】
枚葉紙２．２は、この時点ではすでに第２のくわえづめ１．１４に挟み込まれて転動面１．１７に巻き付けられており、この時点以降は追加的に枚葉紙２．２の後側のくわえしろ２．２’’’も吸引くわえづめ１．１８によって所定の案内を受ける。
【００３１】
そして、この渡し装置によって最終的な目的とされている、印刷ユニット１．２’の圧胴１．７へのこのように安定した枚葉紙の引渡は、印刷ユニット１．１’の圧胴１．７にある第１のくわえづめ１．１２に相当する、後続する圧胴１．７の第１のくわえづめ１．１２が枚葉紙２．２を第２のくわえづめ１．１４から引き取るようにして行われる。その意味で、第２のくわえづめ１．１４、枚葉紙支持部１．１６、および吸引くわえづめ１．１８は、枚葉紙案内ドラム１．１０のコンポーネントである。
【００３２】
図４には、枚葉紙案内ドラム１．１０と同じ枚葉紙案内ドラム３．６の有利な利用法が描かれており、この枚葉紙案内ドラムはここでは一例として印刷ユニット１．１および１．２または１．１’および１．２’で処理された枚葉紙２．２を排紙する渡し装置の構成要素となっている。この枚葉紙案内ドラムは枚葉紙を案内する最後の胴、本例では印刷ユニット１．２または１．２’の圧胴１．７の後に配置され、枚葉紙案内ドラム１．１０との関連で説明したような仕方でこの胴と協働する。
【００３３】
処理された枚葉紙２．２を排紙するために設けられた渡し装置は、さらに有利には、枚葉紙案内ドラム３．６の後に配置され、運転によって第１の方向（つまり圧胴１．７の回転方向）に回転する渡しドラム３．７を含んでおり、この渡しドラム３．７は、ここでは枚葉紙案内ドラム３．６に配置された第２のくわえづめ１．１４を噛み合いながら通過して当該くわえづめから前側のくわえしろ２．２’’を引き取る第３のくわえづめ３．８を備えている。この渡しドラム３．７にはさらに、枚葉紙２．２の後側のくわえしろ２．２’’’を、ここでは枚葉紙案内ドラム３．６に配置された吸引くわえづめ１．１８から引き取る吸引部３．９が配置されている。
【００３４】
そして最後に渡しドラム３．７にはエンドレスコンベヤ３．５’が続いており、その基本構造は、別の個所で説明する相違点を別にすれば図１と図２に示すエンドレスコンベヤ３．５の基本構造と一致している。エンドレスコンベヤ３．５’は、それぞれ運転によって方向矢印１．１１’に示す第２の方向に循環する２つのチェーン組を含んでいる。チェーン組のそれぞれのチェーン３．１０は、特にスプロケットとして構成された方向転換体と、運転によって同期して回転する４つの同軸のスプロケット３．１１’とに巻き掛けられており、これらのスプロケットは組をなしながら、機械区域１ないし１’で最大限処理可能な枚葉紙の場合に存在する処理方向に対して横向きの枚葉紙の長さよりも大きい相互間隔で配置されている。両方のチェーン組のうち第１のチェーン組のそれぞれのチェーン３．１０の間には、チェーン３．１０で支持されるくわえづめブリッジ３．１２が延びており、これらのくわえづめブリッジには前側のくわえしろ２．２’’を把持する先行くわえづめ３．１３が配置されている。両方のチェーン組のうち第２のチェーン組のそれぞれのチェーン３．１０の間には、これらのチェーン３．１０で支持されるくわえづめブリッジ３．１４が延びており、これらのくわえづめブリッジには後側のくわえしろ２．２’’’を把持する後続くわえづめ３．１５が配置されている。先行くわえづめ３．１３と後続くわえづめ３．１５の位相位置は、先行くわえづめ３．１３が枚葉紙２．２の前側のくわえしろ２．２’’を第３のくわえづめ３．８から引き取るように、かつ後続くわえづめ３．１５が枚葉紙２．２の後側のくわえしろ２．２’’’を吸引部３．９から引き取るようにように調節される。
【００３５】
図５には簡略化した立体図で枚葉紙案内ドラムと渡しドラムが描かれており、これらは相互に協働するとともに、図４を参照しながら説明したやり方で、一方では図４に示す圧胴１．７と協働するとともに他方では図４に示すエンドレスコンベヤ３．５’と協働するので、図５においては、機能にとって重要でない設計的な相違点がある場合でも、図４のコンポーネントに相当するコンポーネントには図４と同一の符号が付されている。同様のことは図２と図４の符号についても該当する。
【００３６】
図５は、特に図２と図４からは見て取ることのできない、枚葉紙２．２の異なる判型に渡し装置を適合させる役目をする細部を明瞭に示している。
【００３７】
その都度の枚葉紙２．２の処理方向の長さへの適合は、枚葉紙案内ドラム３．６の場合でも枚葉紙案内ドラム１．１０（図２参照）の場合でも、第２のくわえづめ１．１４に対する吸引くわえづめ１．１８の相応の位相角を調整することによって行われ、渡しドラム３．７の場合には第３のくわえづめ３．８に対する吸引部３．９の相応の位相角を調整することによって行われ、エンドレスコンベヤ３．５’の場合には先行くわえづめ３．１３に対する後続くわえづめ３．１５の相応の位相角を調整することによって行われる。
【００３８】
図４と図５の例に準ずるドラム外套面を備えた渡しドラム３．７の場合、吸引部３．９の位相位置を調整するためにドラム外套面に円周溝３．１６が設けられており、この円周溝に沿ってその中に配置された吸引部３．９が詳しくは図示しないやり方で調節可能である。これらの円周溝は、相互に間隔をおいてそれぞれのくわえづめブリッジ３．１４に沿って配置され、吸引部列を構成する吸引部３．９から枚葉紙２．２を引き取るためにこれと噛み合う後続くわえづめ３．１５が、引取の際に、それぞれ吸引部３．９も配置されている同一の円周溝に潜り込むような相互間隔と幅と深さとを有している。上記のドラム外套面は有利には異なる着色が施されて構成される。
【００３９】
先行くわえづめ３．１３と後続くわえづめ３．１５は、有利には公知のやり方でばね力によって閉じる方向に初期応力をかけられており、同じく公知のやり方で、カムで作動させられるとともに必要に応じて先行くわえづめ３．１３ないし後続くわえづめ３．１５と回転不能に連結されたくわえづめ軸を一定の角度だけくわえづめを開けるために回転させるローラレバー機構によって開かれる。先行くわえづめ３．１３と後続くわえづめ３．１５は、図４に示す構成の場合には同一平面上に位置する軌道を通過する。しかしこのことは必ずしも必要なわけではない。重要なのは、両方の軌道の各々が、渡しドラム３．７をその円周方向で包囲する包絡線を備えた共通の法線を有していることと、後側のくわえしろ２．２’’’が把持されてから枚葉紙２．２がその後で解放されるまで、枚葉紙を案内する先行くわえづめ３．１３と後続くわえづめ３．１５の間隔がいかなる場合でも許容される程度しか変化しないということだけである。許容されない間隔変化があるとすれば、特に、枚葉紙２．２が先行くわえづめ３．１３または後続くわえづめ３．１５から引き出されてしまうような間隔の拡大である。許容されて有利に意図される間隔変化は、特に、枚葉紙２．２が公知のやり方で展開装置の間隙に入り込む条溝を構成することができる程度に、有利には一時的に間隔が狭まることである。そのために設けられる展開装置は、有利には、くわえづめブリッジ３．１２および３．１４を回避するように構成される。エンドレスコンベヤ３．５ないし３．５’の方向転換の領域で生じる枚葉紙２．２のたるみは噴射空気によって対処する。
【００４０】
上述した渡し装置で異なる判型の枚葉紙を搬送できるようにするため、後側のくわえしろ２．２’’’と協働するコンポーネントが、前側のくわえしろを把持するくわえづめに対するその都度の位相位置に合わせて調整されるだけでなく、むしろ枚葉紙支持部１．１６も枚葉紙２．２の側縁２．２’に合わせて調整される。そのために、組になって枚葉紙２．２に働く枚葉紙支持部１．１６の相互間隔を調整可能である。
【００４１】
図５からは、そのために好適な枚葉紙案内ドラム３．６の構成の一例を見ることができ、この枚葉紙案内ドラムは同じ構成で、非常に模式化した形態でしか描かれていない枚葉紙案内ドラム１．１０の機能も果たす。
【００４２】
枚葉紙案内ドラム３．６は、ここでは模式的にのみ示唆されている第２のくわえづめ１．１４が配置されたドラム中核部３．１７を含んでおり、このくわえづめは同じく公知のやり方で閉じる方向へ初期応力をかけられていて、ローラレバー機構とこれを作動させるカムとによって必要に応じて開かれる。ドラム中核部３．１７は本例ではＴ字溝３．１８を備えており、このＴ字溝は枚葉紙案内ドラム３．６の長手方向に延びるとともに、相応にＴ字型に構成されて枚葉紙支持部１．１６に設けられた脚部を受容しており、この脚部はクランプネジ３．１９によってＴ字溝３．１８の中に固定可能である。
【００４３】
ドラム中核部はさらに、内部に吸引装置３．２１が枚葉紙案内ドラム３．６の回転軸３．２２に関して詳しくは図示しないやり方で揺動可能かつ係止可能に配置された切欠き３．２０を有している。吸引装置３．２１は、枚葉紙案内ドラム３．６に沿って延び、図示しないやり方で負圧生成器と接続された吸引空気シャフト３．２３を構成している。吸引くわえづめ１．１８は、吸引空気シャフト３．２３の内部空間と連通する吸引口１．１８’を有しており、この吸引口は枚葉紙支持部１．１６の間の領域で、転動面１．１７を通って広がる包絡面に開口している。処理される最小の判型をもつ枚葉紙２．２の、処理方向に対して横向きに位置する延びの領域では、吸引くわえづめ１．１８が有利には吸引空気シャフト２．２３と不動に連結されており、それに対して最小の判型の範囲外に位置する吸引くわえづめ１．１８は、枚葉紙２．２の印刷されていない側縁２．２’に合わせて枚葉紙支持部１．１６を調整できるようにするために二重方向矢印３．２４で示す方向へ枚葉紙支持部１．１６の位置調節が可能であるように、回転軸３．２２に向かう方向へと位置調節可能である。
【００４４】
枚葉紙案内ドラム３．６および１．１０に設けられた枚葉紙支持部１．１６の転動面１．１７は、有利には、枚葉紙支持部１．１６の図示しない弾性的な被覆部に形成されており、この場合の被覆は有利には約５０ショアの硬度を有している。それにより、処理された枚葉紙２．２の厚さの小さな変化を補償することができる。代替案としては、相応に下に敷くことが可能な走行ストリップに転動面１．１７が形成される。それにより、枚葉紙２．２のいっそう大きな厚さの差への適応が可能である。厚さが顕著に異なる枚葉紙２．２を処理する場合に備えて、さらにたとえば枚葉紙案内ドラム３．６の回転軸３．２２は二重方向矢印３．２５の方向（図５参照）へ変位可能であり、それによって転動面１．１７を十分な圧着力のもとで、支持面１．１３の上に載せられた枚葉紙２．２の側縁２．２’に圧着させる。
【００４５】
以上に説明した枚葉紙２．２を排紙するための（図４および図５に示す）渡し装置では、枚葉紙が間接的に最後の処理ステーションからエンドレスコンベヤ（ここではエンドレスコンベヤ３．５’）に引き渡されるのに対し、別の実施形態では、最後の処理ステーション（ここでは印刷ユニット１．２’）から、最後の処理ステーションを直接通過するエンドレスコンベヤ３．５へと枚葉紙が引き渡される、枚葉紙２．２を排紙するための図２に示す渡し装置が設けられる。このエンドレスコンベヤは、すでに説明したエンドレスコンベヤ３．５’と同様に構成されており、同じく運転によって方向矢印１．１１’に示す第２の方向に循環する２つのチェーン組を含んでいる。チェーン組のそれぞれのチェーン３．１０’は、運転によって同期して回転する４つの同一のスプロケット３．１１’の１つに巻き掛けられ、これらのスプロケットはエンドレスコンベヤ３．５’と同様に互いに間隔をおくとともに共通の回転軸３．２６を有している。これらのチェーン組の第１のチェーン組は、第１のくわえづめ１．１２から前側のくわえしろ２．２’を引き取るために設けられていてここでは符号１．１４’が付されている第２のくわえづめが配置された、くわえづめブリッジ３．２７を支持している。
【００４６】
枚葉紙案内ドラム１．１０および３．６の場合と同じく枚葉紙支持部１．１６’が設けられており、この枚葉紙支持部は本例ではスプロケット３．１１’と一緒に回転し、スプロケット３．１１’の回転軸３．２６と同心的な転動面１．１７を構成し、枚葉紙２．２の側縁２．２’を印刷ユニット１．２’の圧胴１．７の支持面１．１３に圧着させ、それに対して第２のくわえづめ１．１４’で把持された枚葉紙２．２は支持面１．１３から引き剥がされて転動面１．１７に巻き付けられる。第２のくわえづめを支持するくわえづめブリッジ３．２７が転動面１．１７の回転軌道の中に潜り込んで枚葉紙支持部１．１６’とともに円軌道上で回転した後、ついにくわえづめブリッジ３．２７を支持するチェーン組がスプロケット３．１１’の相応の組から離れるまで、枚葉紙支持部１．１６’は同じく第２のくわえづめ１．１４の後を走行してこのくわえづめの後に続いている。
【００４７】
枚葉紙案内ドラム１．１０および３．６の枚葉紙支持部１．１６とは異なり、処理された枚葉紙２．２の処理方向の異なる長さに適合させるために、枚葉紙支持部１．１６’の円周方向の長さが調節可能である。そのために、それぞれの枚葉紙支持部１．１６’は転動面１．１７の円周方向で２分割されている。本例では先方の枚葉紙支持区域１．１６’’はスプロケット軸３．２８と回転不能に連結されており、スプロケット軸は、くわえづめブリッジ３．２７を第２のくわえづめ１．１４’とともに支持するチェーン組が巻き掛けられたスプロケット３．１１’と回転不能に連結されている。後方の枚葉紙支持区域１．１６’’’はスプロケット軸３．２８と同心的な中空軸３．２９と回転不能に連結されており、さらにこの中空軸は、枚葉紙２．２の後側のくわえしろ２．２’’’を把持する後端くわえづめ３．３１が配置されているくわえづめブリッジ３．３０を支持するチェーン組が巻き掛けられたスプロケット３．１１’と回転不能に連結されている。枚葉紙支持区域１．１６’’および１．１６’’’と、スプロケット軸３．２８ないし中空軸３．２９とを回転不能に連結するため、本例ではスポーク状に配置されたリブが設けられており、これらのリブに関してそれぞれの枚葉紙支持区域１．１６’’および１．１６’’’はスプロケット軸３．２８の長手方向で位置調節可能であるとともに図示しないやり方で係止可能である。スプロケット３．２８に沿った位置調節は、たとえば図５に示す枚葉紙案内ドラム３．６の枚葉紙支持部１．１６と同様にＴ字型の案内部に沿って行う。転動面１．１７の長さを変えるため、本例では中空軸３．２９の位相位置がスプロケット軸３．２８に対して位置調節される。
【００４８】
図３（ａ）から３（ｃ）には、そのために好適な枚葉紙支持区域１．１６’’および１．１６’’’の構成が図示されている。図３（ａ）に示す第１実施形態では、両方の枚葉紙支持区域１．１６’’および１．１６’’’の各々が、転動面１．１７を構成するゴム弾性的な走行ストリップ３．３２を備えており、これらの走行ストリップはたとえば加硫によって定置に配置されているので、両方の走行ストリップ３．３２は側縁２．２’の相並んで位置する軌道で作用する。
【００４９】
側縁２．２’の異なる領域に作用する図３（ｂ）と３（ｃ）の構成では、枚葉紙支持区域１．１６’’および１．１６’’’が積層されていて共通の走行ストリップ３．３３ないし３．３３’を有している。この走行ストリップは、本実施例に基づく図２に示唆するように、枚葉紙支持区域１．１６’’’の後側の端部に取り付けられていて巻取り装置３．３４によって枚葉紙支持区域１．１６’’の前側の端部に巻付け可能かつ繰出し可能であり、このとき巻取り装置は有利には繰出された走行ストリップ３．３３ないし３．３３’を短くするように初期応力をかけられている。走行ストリップ３．３３ないし３．３３’は、有利には膨張に対して剛性のある支持テープを含んでいる。
【００５０】
走行ストリップ３．３２ないし３．３３ないし３．３３’は、有利には、処理される枚葉紙２．２のさまざまな厚さに適合する弾性を有している。
【００５１】
枚葉紙２．２を排紙するための図２に描かれた渡し装置は、さらに、印刷ユニット１．２’の圧胴１．７の支持面１．１３から後側のくわえしろ２．２’’’を持ち上げる、枚葉紙支持部１．１６’と一緒に回転してこの後に配置された吸引くわえづめ１．１８を有している。この吸引くわえづめ１．１８は処理方向に対して横向きに延びる列を形成するとともに、後端くわえづめ３．３１が転動面１．１７の回転軌道の中に潜り込んだときにこの後端くわえづめと噛み合うように配置されている。後端くわえづめ３．３１は支持面１．１３と転動面１．１７の共通の法線の領域を、転動面１．１７が通る軌道の半径方向内側で通過して、支持面１．１３と転動面１．１７の間の出口側のくさび型ニップで、吸引くわえづめ１．１８から後側のくわえしろ２．２’’’を引き取る。この点については、エンドレスコンベヤ３．５の構成とエンドレスコンベヤ３．５’の構成とで、すでに説明した相違点がある。
【図面の簡単な説明】
【図１】図面には詳細が描かれていない枚葉紙を搬送する装置を備えたタンデム型に構成された輪転印刷機の例で、枚葉紙処理機械を示す概略図である。
【図２】枚葉紙を処理するタンデム型の輪転印刷機の印刷ユニット胴と、処理された枚葉紙の搬送装置との配置の例を示す概略図である。
【図３】それぞれ異なる実施形態における、図２のＩＩ線に沿った断面図である。
【図４】処理された枚葉紙を輪転印刷機から排紙する渡し装置を示す概略図である。
【図５】図３の配置に対応する渡し装置を示す概略的な立体図である。
【符号の説明】
１、１’    機械区域
１．１、１．２、１．１’、１．２’    印刷ユニット
１．３    インキ装置
１．４    湿し水装置
１．５    版胴
１．６    ブランケット胴
１．７    圧胴
１．８    先行くわえづめ
１．９    給紙ドラム
１．１０    枚葉紙案内ドラム
１．１１    第１の方向の方向矢印
１．１１’    第２の方向の方向矢印
１．１２    第１のくわえづめ
１．１３    支持面
１．１４、１．１４’    第２のくわえづめ
１．１５    回転軸
１．１６、１．１６’    枚葉紙支持部
１．１６’’、１．１６’’’    枚葉紙支持区域
１．１７    転動面
１．１８    吸引くわえづめ
１．１８’    吸引口
２    給紙装置
２．１    紙さばき装置
２．２    枚葉紙
２．２’    枚葉紙の印刷されていない側縁
２．２’’    前側のくわえしろ
２．２’’’    後側のくわえしろ
２．３    パイル
２．４    搬送・紙揃え装置
２．５    プラットフォーム
２．６    昇降チェーン
３．１    パイルステーション
３．３    プラットフォーム
３．４    昇降チェーン
３．５、３．５’    エンドレスコンベヤ
３．６    枚葉紙案内ドラム
３．７    渡しドラム
３．８    第３のくわえづめ
３．９    吸引部
３．１０    チェーン
３．１１、３．１１’    スプロケット
３．１２    くわえづめブリッジ
３．１３    先行くわえづめ
３．１４    くわえづめブリッジ
３．１５    後続くわえづめ
３．１６    円周溝
３．１７    ドラム中核部
３．１８    Ｔ字溝
３．１９    クランプネジ
３．２０    切欠き
３．２１    吸引装置
３．２２    回転軸
３．２３    吸引空気シャフト
３．２４    二重方向矢印
３．２５    二重方向矢印
３．２６    回転軸
３．２７    くわえづめブリッジ
３．２８    スプロケット軸
３．２９    中空軸
３．３０    くわえづめブリッジ
３．３１    後端くわえづめ
３．３２，３．３３、３．３３’    走行ストリップ
【図１】
0004657479.tif 000002
【図２】
0004657479.tif 000003
【図３】
0004657479.tif 000004
【図４】
0004657479.tif 000005
【図５】
0004657479.tif 000006